(57)【要約】【課題】表示部を大きくすることができ、且つ、放射線が表示部に入射するのを抑制することができる放射線検出器を提供することである。【解決手段】実施形態に係る放射線検出器は、筐体と、前記筐体の内部に設けられ、放射線を検出する検出部と、前記筐体の、前記放射線の入射側とは反対側に設けられた表示部と、を備えている。【選択図】図２
2019196931.tif 000002
【特許請求の範囲】
【請求項１】
筐体と、
前記筐体の内部に設けられ、放射線を検出する検出部と、
前記筐体の、前記放射線の入射側とは反対側に設けられた表示部と、
を備えた放射線検出器。
【請求項２】
前記表示部は、前記検出部により検出された前記放射線に基づいて構成された放射線画像を表示可能となっている請求項１記載の放射線検出器。
【請求項３】
前記検出部は、シンチレータまたは光電変換膜を有し、
前記表示部は、前記検出部の、前記放射線の入射側とは反対側に設けられ、
平面視において、前記表示部の少なくとも一部は、前記シンチレータまたは前記光電変換膜と重なっている請求項１または２に記載の放射線検出器。
【請求項４】
前記筐体の、前記放射線の入射側とは反対側に設けられた入力部をさらに備えた請求項１〜３のいずれか１つに記載の放射線検出器。
【請求項５】
前記入力部は、前記表示部の上に設けられている請求項４記載の放射線検出器。
【請求項６】
複数の前記放射線画像のデータを格納可能な格納部をさらに備えた請求項２〜５のいずれか１つに記載の放射線検出器。
【請求項７】
前記入力部は、撮影モードの切り替え、前記放射線画像に関する情報、および動作状況の表示の少なくともいずれかを入力可能となっている請求項４〜６のいずれか１つに記載の放射線検出器。
【発明の詳細な説明】
【技術分野】
【０００１】
本発明の実施形態は、放射線検出器に関する。
【背景技術】
【０００２】
放射線検出器の一種にＸ線検出器がある。  
近年においては、Ｘ線検出器の形態の多様化が進み、その一つの例として、携帯性を向上させたポータブルタイプのＸ線検出器が開発されている。また、ポータブルタイプのＸ線検出器の携帯性をさらに向上させるために、配線を介さずにデータ通信を行う無線タイプのＸ線検出器も提案されている。  
また、Ｘ線検出器の動作状況や充電池の充電状況などを表示する表示部が設けられたＸ線検出器も提案されている。
【０００３】
この様な表示部がＸ線検出器に設けられていれば、動作状況などの確認が容易となる。  しかしながら、Ｘ線が表示部に直接入射すると、表示部が故障するおそれがある。この場合、Ｘ線検出器本体の側方に表示部を並べて設ければ、Ｘ線が表示部に直接入射するのを抑制することができる。  
ところが、この様にすると、Ｘ線検出器の大きさが大きくなるので、携帯性が悪くなったり、取り扱いが困難となったりするおそれがある。この場合、表示部を小さくすれば、表示することができる情報の情報量が少なくなる。例えば、Ｘ線検出器の動作状況や充電池の充電状況程度の情報しか表示できなくなる。  
そのため、表示部を大きくすることができ、且つ、放射線が表示部に入射するのを抑制することができる放射線検出器の開発が望まれていた。
【先行技術文献】
【特許文献】
【０００４】
【特許文献１】特開２０１０−７５６７８号公報
【発明の概要】
【発明が解決しようとする課題】
【０００５】
本発明が解決しようとする課題は、表示部を大きくすることができ、且つ、放射線が表示部に入射するのを抑制することができる放射線検出器を提供することである。
【課題を解決するための手段】
【０００６】
実施形態に係る放射線検出器は、筐体と、前記筐体の内部に設けられ、放射線を検出する検出部と、前記筐体の、前記放射線の入射側とは反対側に設けられた表示部と、を備えている。
【図面の簡単な説明】
【０００７】
【図１】本実施の形態に係るＸ線検出器を例示するための模式斜視図である。
【図２】図１におけるＸ線検出器のＡ−Ａ線方向の模式断面図である。
【図３】Ｘ線検出器のブロック図である。
【図４】検出部を例示するための模式斜視図である。
【図５】アレイ基板の回路図である。
【図６】検出部のブロック図である。
【図７】他の実施形態に係るＸ線検出器を例示するための模式斜視図である。
【図８】他の実施形態に係るＸ線検出器を例示するための模式斜視図である。
【図９】本実施の形態に係るＸ線画像検出システムを例示するための模式図である。
【発明を実施するための形態】
【０００８】
以下、図面を参照しつつ、実施の形態について例示をする。なお、各図面中、同様の構成要素には同一の符号を付して詳細な説明は適宜省略する。  
また、本発明の実施形態に係る放射線検出器は、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【０００９】
また、以下に例示をするＸ線検出器１は、Ｘ線平面センサである。Ｘ線平面センサには、大きく分けて直接変換方式と間接変換方式がある。  
間接変換方式のＸ線検出器には、例えば、複数の光電変換部を有するアレイ基板と、複数の光電変換部の上に設けられＸ線を蛍光（可視光）に変換するシンチレータとが設けられている。間接変換方式のＸ線検出器においては、外部から入射したＸ線はシンチレータにより蛍光に変換される。発生した蛍光は、光電変換部により信号電荷に変換される。  
直接変換方式のＸ線検出器には、例えば、アモルファスセレンなどからなる光電変換膜が設けられている。直接変換方式のＸ線検出器においては、外部から入射したＸ線は、光電変換膜に吸収され、信号電荷に直接変換される。
【００１０】
以下においては、一例として、間接変換方式のＸ線検出器１を例示するが、本発明は直接変換方式のＸ線検出器にも適用することができる。  
すなわち、Ｘ線検出器は、Ｘ線を電気的な情報に変換する検出部を有するものであれば良い。検出部は、例えば、Ｘ線を直接的またはシンチレータと協働して検出するものとすることができる。  
なお、直接変換方式のＸ線検出器の構成には既知の技術を適用することができるので詳細な説明は省略する。
【００１１】
また、以下においては、一例として、配線を介さずにデータ通信を行う無線タイプのＸ線検出器１を例示するが、本発明は配線を介してデータ通信を行う有線タイプのＸ線検出器にも適用することができる。  
また、Ｘ線検出器１は、例えば、一般医療などに用いることができる。ただし、Ｘ線検出器１の用途は、一般医療に限定されるわけではない。
【００１２】
図１は、本実施の形態に係るＸ線検出器１を例示するための模式斜視図である。  
図２は、図１におけるＸ線検出器１のＡ−Ａ線方向の模式断面図である。  
図３は、Ｘ線検出器１のブロック図である。  
図４は、検出部１０を例示するための模式斜視図である。  
図５は、アレイ基板２の回路図である。  
図６は、検出部１０のブロック図である。  
図１〜図６に示すように、Ｘ線検出器１には、検出部１０、筐体２０、支持部３０、通信部４０、電源部５０、および表示部６０が設けられている。  
検出部１０には、アレイ基板２、回路基板３、およびシンチレータ４が設けられている。
検出部１０は、筐体２０の内部に設けられている。検出部１０は、Ｘ線を検出する。
【００１３】
アレイ基板２は、シンチレータ４によりＸ線から変換された蛍光（可視光）を信号電荷に変換する。  
アレイ基板２は、基板２ａ、光電変換部２ｂ、制御ライン（又はゲートライン）２ｃ１、データライン（又はシグナルライン）２ｃ２、および保護層２ｆなどを有する。  
なお、光電変換部２ｂ、制御ライン２ｃ１、およびデータライン２ｃ２などの数は例示をしたものに限定されるわけではない。
【００１４】
基板２ａは、板状を呈し、無アルカリガラスなどの透光性材料から形成されている。  
光電変換部２ｂは、基板２ａの一方の面に複数設けられている。  
光電変換部２ｂは、矩形状を呈し、制御ライン２ｃ１とデータライン２ｃ２とにより画された領域に設けられている。複数の光電変換部２ｂは、マトリクス状に並べられている。なお、１つの光電変換部２ｂは、Ｘ線画像の１つの画素（pixel）に対応する。
【００１５】
複数の光電変換部２ｂのそれぞれには、光電変換素子２ｂ１と、スイッチング素子である薄膜トランジスタ（ＴＦＴ；Thin Film Transistor）２ｂ２が設けられている。  
また、図５に示すように、光電変換素子２ｂ１において変換した信号電荷を蓄積する蓄積キャパシタ２ｂ３を設けることができる。蓄積キャパシタ２ｂ３は、例えば、矩形平板状を呈し、各薄膜トランジスタ２ｂ２の下に設けることができる。ただし、光電変換素子２ｂ１の容量によっては、光電変換素子２ｂ１が蓄積キャパシタ２ｂ３を兼ねることができる。
【００１６】
光電変換素子２ｂ１は、例えば、フォトダイオードなどとすることができる。  
薄膜トランジスタ２ｂ２は、蓄積キャパシタ２ｂ３への電荷の蓄積、および蓄積キャパシタ２ｂ３からの電荷の放出のスイッチングを行う。薄膜トランジスタ２ｂ２は、ゲート電極２ｂ２ａ、ドレイン電極２ｂ２ｂ及びソース電極２ｂ２ｃを有している。薄膜トランジスタ２ｂ２のゲート電極２ｂ２ａは、対応する制御ライン２ｃ１と電気的に接続される。薄膜トランジスタ２ｂ２のドレイン電極２ｂ２ｂは、対応するデータライン２ｃ２と電気的に接続される。薄膜トランジスタ２ｂ２のソース電極２ｂ２ｃは、対応する光電変換素子２ｂ１と蓄積キャパシタ２ｂ３とに電気的に接続される。また、光電変換素子２ｂ１のアノード側と蓄積キャパシタ２ｂ３は、グランドに接続される。
【００１７】
制御ライン２ｃ１は、所定の間隔をあけて互いに平行に複数設けられている。制御ライン２ｃ１は、例えば、行方向に延びている。  
１つの制御ライン２ｃ１は、基板２ａの周縁近傍に設けられた複数の配線パッド２ｄ１のうちの１つと電気的に接続されている。１つの配線パッド２ｄ１には、フレキシブルプリント基板２ｅ１に設けられた複数の配線のうちの１つが電気的に接続されている。フレキシブルプリント基板２ｅ１に設けられた複数の配線の他端は、回路基板３に設けられた読み出し回路３ａとそれぞれ電気的に接続されている。
【００１８】
データライン２ｃ２は、所定の間隔をあけて互いに平行に複数設けられている。データライン２ｃ２は、例えば、行方向に直交する列方向に延びている。  
１つのデータライン２ｃ２は、基板２ａの周縁近傍に設けられた複数の配線パッド２ｄ２のうちの１つと電気的に接続されている。１つの配線パッド２ｄ２には、フレキシブルプリント基板２ｅ２に設けられた複数の配線のうちの１つが電気的に接続されている。フレキシブルプリント基板２ｅ２に設けられた複数の配線の他端は、回路基板３に設けられた信号検出回路３ｂとそれぞれ電気的に接続されている。  
制御ライン２ｃ１、およびデータライン２ｃ２は、例えば、アルミニウムやクロムなどの低抵抗金属を用いて形成することができる。
【００１９】
保護層２ｆは、光電変換部２ｂ、制御ライン２ｃ１、およびデータライン２ｃ２を覆っている。  
保護層２ｆは、例えば、酸化物絶縁材料、窒化物絶縁材料、酸窒化物絶縁材料、および樹脂材料の少なくとも１種を含む。
【００２０】
回路基板３は、アレイ基板２の、シンチレータ４が設けられる側とは反対側に設けられている。  
回路基板３には、読み出し回路３ａおよび信号検出回路３ｂが設けられている。  
読み出し回路３ａは、薄膜トランジスタ２ｂ２のオン状態とオフ状態を切り替える。  
図６に示すように、読み出し回路３ａは、複数のゲートドライバ３ａａと行選択回路３ａｂとを有する。
【００２１】
行選択回路３ａｂには、制御信号Ｓ１が入力される。行選択回路３ａｂは、Ｘ線画像の走査方向に従って、対応するゲートドライバ３ａａに制御信号Ｓ１を入力する。  
ゲートドライバ３ａａは、対応する制御ライン２ｃ１に制御信号Ｓ１を入力する。  
例えば、読み出し回路３ａは、フレキシブルプリント基板２ｅ１を介して、制御信号Ｓ１を各制御ライン２ｃ１毎に順次入力する。制御ライン２ｃ１に入力された制御信号Ｓ１により薄膜トランジスタ２ｂ２がオン状態となり、蓄積キャパシタ２ｂ３からの電荷（画像データ信号Ｓ２）が受信できるようになる。
【００２２】
信号検出回路３ｂは、複数の積分アンプ３ｂａ、複数の選択回路３ｂｂ、および複数のＡＤコンバータ３ｂｃを有している。  
１つの積分アンプ３ｂａは、１つのデータライン２ｃ２と電気的に接続されている。積分アンプ３ｂａは、光電変換部２ｂからの画像データ信号Ｓ２を順次受信する。そして、積分アンプ３ｂａは、一定時間内に流れる電流を積分し、その積分値に対応した電圧を選択回路３ｂｂへ出力する。この様にすれば、所定の時間内にデータライン２ｃ２を流れる電流の値（電荷量）を電圧値に変換することが可能となる。すなわち、積分アンプ３ｂａは、シンチレータ４において発生した蛍光の強弱分布に対応した画像データ情報を、電位情報へと変換する。
【００２３】
選択回路３ｂｂは、読み出しを行う積分アンプ３ｂａを選択し、電位情報へと変換された画像データ信号Ｓ２を順次読み出す。  
ＡＤコンバータ３ｂｃは、読み出された画像データ信号Ｓ２をデジタル信号に順次変換する。デジタル信号に変換された画像データ信号Ｓ２は、通信部４０からアンテナ１０５ｃに向けて送信される。
【００２４】
シンチレータ４は、複数の光電変換素子２ｂ１の上に設けられ、入射するＸ線を蛍光に変換する。シンチレータ４は、基板２ａ上の複数の光電変換部２ｂが設けられた領域（有効画素領域）を覆うように設けられている。  
シンチレータ４は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ４を形成すれば、複数の柱状結晶の集合体からなるシンチレータ４が形成される。
【００２５】
また、シンチレータ４は、例えば、テルビウム賦活硫酸化ガドリニウム（Ｇｄ２Ｏ２Ｓ／Ｔｂ、又はＧＯＳ）などを用いて形成することもできる。この場合、複数の光電変換部２ｂごとに四角柱状のシンチレータ４が設けられるように、マトリクス状の溝部を形成することができる。
【００２６】
その他、検出部１０には、蛍光の利用効率を高めて感度特性を改善するために、シンチレータ４の表面側（Ｘ線の入射面側）を覆うように図示しない反射層を設けることができる。  
また、空気中に含まれる水蒸気により、シンチレータ４の特性と図示しない反射層の特性が劣化するのを抑制するために、シンチレータ４と図示しない反射層を覆う図示しない防湿体を設けることができる。
【００２７】
筐体２０は、カバー部２１、入射窓２２、および基部２３を有する。  
カバー部２１は、箱状を呈し、Ｘ線の入射側、およびＸ線の入射側とは反対側に開口部を有している。  
軽量化を考慮して、カバー部２１は、例えば、アルミニウム合金などを用いて形成することができる。また、カバー部２１は、例えば、ポリフェニレンサルファイド樹脂、ポリカーボネイト樹脂、炭素繊維強化プラスチック（ＣＦＲＰ；Carbon-Fiber-Reinforced Plastic）などを用いて形成することもできる。
【００２８】
入射窓２２は、板状を呈し、カバー部２１の、Ｘ線の入射側の開口部を塞ぐように設けられている。入射窓２２は、Ｘ線を透過させる。入射窓２２は、Ｘ線吸収率の低い材料を用いて形成されている。入射窓２２は、例えば、炭素繊維強化プラスチックなどを用いて形成することができる。
【００２９】
基部２３は、板状を呈し、カバー部２１の、Ｘ線の入射側とは反対側の開口部を塞ぐように設けられている。なお、基部２３は、カバー部２１と一体化してもよい。  
基部２３の材料は、ある程度の剛性を有するものであれば特に限定はない。基部２３の材料は、例えば、カバー部２１の材料と同様とすることができる。
【００３０】
支持部３０は、支持板３１と支持体３２とを有する。  
支持板３１は、板状を呈し、筐体２０の内部に設けられている。支持板３１の入射窓２２側の面には、アレイ基板２とシンチレータ４が設けられている。支持板３１の基部２３側の面には、回路基板３が設けられている。  
支持板３１の材料は、ある程度の剛性を有し、Ｘ線吸収率がある程度高いものとすることが好ましい。支持板３１の材料は、例えば、ステンレスやアルミニウム合金などの金属とすることができる。
【００３１】
支持体３２は、柱状を呈し、筐体２０の内部に設けられている。支持体３２は、支持板３１と基部２３との間に設けることができる。支持体３２と支持板３１の固定、および、支持体３２と基部２３の固定は、例えば、接着剤などを用いて行うことができる。支持体３２の材料は、ある程度の剛性を有するものであれば特に限定はない。支持体３２の材料は、例えば、ステンレスやアルミニウム合金などの金属、炭素繊維強化プラスチックなどとすることができる。  
なお、支持体３２の形態、配設位置、数などは例示をしたものに限定されるわけではない。例えば、支持体３２は、板状を呈し、カバー部２１の内側面から突出するように設けることもできる。すなわち、支持体３２は、筐体２０の内部において、支持板３１を支持することができるものであればよい。
【００３２】
通信部４０は、筐体２０の内部に設けられている。  
通信部４０は、送信回路４１およびアンテナ４３を備えている。  
送信回路４１の入力側は、ＡＤコンバータ３ｂｃと電気的に接続されている。送信回路４１の出力側は、アンテナ４３と電気的に接続されている。  
送信回路４１は、画像データ信号Ｓ２が乗った高周波信号を生成する。送信回路４１は、例えば、高周波信号を発生させる回路、高周波信号を所定の電力まで増大させる増幅回路、ＡＤコンバータ３ｂｃから出力された画像データ信号Ｓ２を高周波信号に乗せる変調回路などを有したものとすることができる。
【００３３】
アンテナ４３は、画像データ信号Ｓ２が乗った高周波信号を電波として筐体２０の外部に放射（送信）する。  
なお、電波の周波数帯は、例えば、５ＧＨｚ帯とすることができる。
【００３４】
また、通信部４０は、受信回路４２をさらに備えることができる。  
受信回路４２の入力側は、アンテナ４３と電気的に接続されている。受信回路４２の出力側は、行選択回路３ａｂや表示部６０などと電気的に接続されている。  
受信回路４２は、例えば、アンテナ４３を介して入力された制御信号Ｓ１が乗った電波を復調して制御信号Ｓ１を復元する。受信回路４２は、復元された制御信号Ｓ１を行選択回路３ａｂに送信する。  
また、受信回路４２は、例えば、アンテナ４３を介して入力されたＸ線画像信号（Ｘ線画像のデータ）が乗った電波を復調してＸ線画像信号を復元する。受信回路４２は、復元されたＸ線画像信号を表示部６０に送信する。
【００３５】
アンテナ４３は、後述するアンテナ１０５ｃから放射（送信）された制御信号Ｓ１が乗った電波、およびＸ線画像信号が乗った電波を受信する。  
なお、送信回路４１および受信回路４２は、回路基板３に設けることができる。
【００３６】
電源部５０は、例えば、筐体２０の内部に設けることができる。電源部５０は、検出部１０（回路基板３）および表示部６０と電気的に接続されている。電源部５０は、例えば、リチウムイオン電池などの充電が可能な二次電池を有するものとすることができる。  
また、電源部５０は、筐体２０に対して着脱可能に設けることもできる。例えば、電源部５０は、ラッチ機構などの機械的な保持手段、磁石などの保持手段などにより、筐体２０の内部や外面などに着脱可能に設けることができる。また、電源部５０は、複数設けられていてもよい。すなわち、電源部５０は、筐体２０の内部および筐体２０の外面の少なくともいずれかに設けられていればよい。
【００３７】
表示部６０は、筐体２０の、Ｘ線の入射側とは反対側に設けられている。表示部６０は、例えば、基部２３に設けることができる。また、表示部６０は、例えば、基部２３に代えて、カバー部２１の、Ｘ線の入射側とは反対側の開口部を塞ぐように設けることもできる。
表示部６０は、受信回路４２からのＸ線画像信号を光学画像（Ｘ線画像）に変換する。表示部６０は、例えば、フラットパネルディスプレイなどとすることができる。
【００３８】
筐体２０の、Ｘ線の入射側とは反対側の面は、筐体２０の側面と比べて面積が大きい。そのため、筐体２０の、Ｘ線の入射側とは反対側に表示部６０を設ければ、表示部６０を大きくするのが容易となる。表示部６０が大きくなれば、表示することができる情報の情報量が多くなる。例えば、撮影されたＸ線画像を表示部６０に表示することができる。  
すなわち、表示部６０は、検出部１０により検出されたＸ線に基づいて構成されたＸ線画像を表示可能となっている。
【００３９】
後述する図９に示すように、一般的には、Ｘ線検出器１は撮影室１０１の内部に設けられ、Ｘ線画像を構成する制御部１０５は操作室１０２の内部に設けられている。そのため、医者などの観察者は、被検体２００から離れた位置に設けられた表示部１０５ｅに表示されたＸ線画像を観ることになる。撮影されたＸ線画像に不具合があったり、撮影部位が不適切であったりした場合には、観察者が、被検体２００と表示部１０５ｅとの間を行き来することになる。そのため、診断時間が長くなったり、診断に要する労力が増大したりするおそれがある。また、被検体２００を撮影室１０１に搬送できない場合には、撮影室１０１とは異なる部屋（例えば、病室など）や屋外においてＸ線撮影を行う場合がある。この様な場合には、診断時間がさらに長くなったり、診断に要する労力がさらに増大したりするおそれがある。
【００４０】
本実施の形態に係るＸ線検出器１には表示部６０が設けられているので、撮影されたＸ線画像を被検体２００の近傍で確認することができる。そのため、撮影されたＸ線画像に不具合があったり、撮影部位が不適切であったりした場合には迅速な対応が可能となる。  例えば、本実施の形態に係るＸ線検出器１とすれば、救急医療などの緊急を要する場合であっても迅速な対応が可能となる。
【００４１】
また、表示部６０が、筐体２０の、Ｘ線の入射側とは反対側に設けられていれば、筐体２０の平面寸法が大きくなるのを抑制することができる。そのため、Ｘ線検出器１の携帯性を向上させたり、取り扱いを容易としたりすることができる。
【００４２】
また、筐体２０の内部にはシンチレータ４が設けられている。表示部６０が、筐体２０の、Ｘ線の入射側とは反対側に設けられていれば、表示部６０が、シンチレータ４の、Ｘ線の入射側とは反対側に設けられることになる。この場合、平面視において（Ｘ線の入射側から見て）、表示部６０の少なくとも一部がシンチレータ４と重なることになる。  
前述したように、シンチレータ４は入射したＸ線を蛍光に変換する。そのため、表示部６０が、シンチレータ４の、Ｘ線の入射側とは反対側に設けられていれば、Ｘ線が表示部６０に入射するのを抑制することができるので、表示部６０が故障するのを抑制することができる。
【００４３】
この場合、平面視において、表示部６０の全体がシンチレータ４と重なるようにすれば、表示部６０が故障するのをより確実に抑制することができる。  
なお、直接変換方式のＸ線検出器の場合には、平面視において、表示部６０の少なくとも一部が、アモルファスセレンなどからなる光電変換膜が設けられている領域と重なるようにすればよい。この場合、平面視において、表示部６０の全体が光電変換膜が設けられている領域と重なるようにすることが好ましい。
すなわち、表示部６０は、検出部１０の、Ｘ線の入射側とは反対側に設けられている。また、平面視において、表示部６０の少なくとも一部は、シンチレータ４または光電変換膜と重なっている。
【００４４】
図７は、他の実施形態に係るＸ線検出器１ａを例示するための模式斜視図である。  
図７に示すように、Ｘ線検出器１ａには、表示部６０と入力部６１が設けられている。  すなわち、Ｘ線検出器１ａは、Ｘ線検出器１に入力部６１をさらに設けたものである。入力部６１は、少なくとも１つ設けることができる。入力部６１は、筐体２０の、Ｘ線の入射側とは反対側に設けることができる。入力部６１は、表示部６０の近傍に設けることができる。
【００４５】
例えば、入力部６１は、撮影モードの切り替えスイッチとすることができる。  
例えば、撮影モードは、静止画の撮影モード、動画の撮影モード、外部からの信号で撮影を開始するモード、Ｘ線検出器１ａに設けられたＸ線センサなどによりＸ線の入射を検出した際に撮影を開始するモードなどとすることができる。なお、撮影モードの内容は例示をしたものに限定されるわけではない。  
なお、入力部６１から入力する情報は、撮影モードの切り替えに限定されるわけではない。  
入力部６１は、Ｘ線画像に関する情報を入力するものとすることもできる。  
例えば、入力部６１は、Ｘ線画像の表示と表示の消去の切り替え、画像の拡大、画像の縮小、画像の移動、明るさの変更、コントラストの変更、後述するＸ線画像の切り替えなどを行うための情報を入力するものであってもよい。  
また、入力部６１は、Ｘ線検出器１ａの動作状況の表示などを行うための情報を入力するものとすることもできる。
【００４６】
入力部６１は、回路基板３と電気的に接続されている。入力部６１の数や配置には特に限定はないが、平面視において、入力部６１がシンチレータ４と重なるようにすることが好ましい。この様にすれば、Ｘ線が入力部６１に入射するのを抑制することができるので、入力部６１が故障するのを抑制することができる。なお、直接変換方式のＸ線検出器の場合には、平面視において、入力部６１が、アモルファスセレンなどからなる光電変換膜が設けられている領域と重なるようにすればよい。
【００４７】
また、Ｘ線検出器１ａには、複数のＸ線画像信号を格納する格納部６２を設けることができる。格納部６２は、回路基板３と電気的に接続されている。例えば、格納部６２は、半導体メモリ、ハードディスクドライブなどとすることができる。  
受信回路４２からのＸ線画像信号は、格納部６２に格納される。この場合、入力部６１は、格納部６２に格納されている複数のＸ線画像信号から所望のＸ線画像信号を読み出すための情報を入力するものとすることができる。格納部６２から読み出されたＸ線画像信号は、表示部６０によりＸ線画像に変換され、変換されたＸ線画像が表示される。  
表示されるＸ線画像を切り替えることができれば、必要なＸ線画像を選択することができるので、正確な診断を行うことが容易となる。
【００４８】
図８は、他の実施形態に係るＸ線検出器１ｂを例示するための模式斜視図である。  
図８に示すように、Ｘ線検出器１ｂには、入力機能と表示機能を有する入出力部６３が設けられている。例えば、入出力部６３の入力機能は、前述した入力部６１の入力機能と同様とすることができる。入出力部６３の表示機能は、前述した表示部６０の機能と同様とすることができる。  
例えば、入出力部６３は、入力部６１が表示部６０の上に設けられたものとすることができる。例えば、入出力部６３は、フラットパネルディスプレイなどの表示装置と、タッチパッドなどの位置入力装置を備えたものとすることができる。入出力部６３は、例えば、タッチパネルなどとすることができる。  
入出力部６３から入力する情報は、例えば、前述した入力部６１から入力する情報と同様とすることができる。  
表示機能と入力機能を有する入出力部６３とすれば、省スペース化を図ることができる。そのため、表示されるＸ線画像を大きくすることができる。
【００４９】
図９は、本実施の形態に係るＸ線画像検出システム１００を例示するための模式図である。  
図９に示すように、Ｘ線画像検出システム１００には、Ｘ線検出器１（１ａ、１ｂ）、撮影台１０３、Ｘ線照射部１０４、および制御部１０５が設けられている。Ｘ線検出器１（１ａ、１ｂ）、撮影台１０３、およびＸ線照射部１０４は、撮影室１０１の内部に設けることができる。なお、撮影室１０１は、操作室１０２に隣接する部屋であってもよいし、操作室１０２から離れた部屋（例えば、病室など）であってもよいし、屋外などであってもよい。制御部１０５は、操作室１０２の内部に設けられている。
【００５０】
Ｘ線画像を撮影する際には、撮影台１０３のＸ線照射部１０４側に被検体２００が配置される。なお、図９においては、撮影台１０３として、いわゆる臥位撮影台を例示したが、いわゆる立位撮影台であってもよい。  
撮影台１０３には、ケース１０３ａが設けられている。図９に示すように、ケース１０３ａは、撮影台１０３の、Ｘ線照射部１０４側とは反対側に設けることができる。なお、ケース１０３ａは、撮影台１０３のＸ線照射部１０４側に設けることもできる。ケース１０３ａが、撮影台１０３のＸ線照射部１０４側に設けられる場合には、ケース１０３ａは、撮影台１０３と被検体２００の間に設けられる。  
Ｘ線検出器１（１ａ、１ｂ）は、ケース１０３ａの内部に設けることができる。Ｘ線検出器１（１ａ、１ｂ）をケース１０３ａの内部に設けることで、Ｘ線検出器１（１ａ、１ｂ）と撮影台１０３との位置関係、ひいてはＸ線検出器１（１ａ、１ｂ）とＸ線照射部１０４との位置関係を規定することができる。
【００５１】
Ｘ線照射部１０４は、例えば、Ｘ線を発生させる真空管とすることができる。  
また、Ｘ線照射部１０４に電力を供給する図示しない高圧電源、Ｘ線ビームの形状を整形する図示しないコリメータ、Ｘ線照射部１０４とＸ線検出器１（１ａ、１ｂ）の同期を制御する図示しない制御装置などを適宜設けることができる。  
なお、Ｘ線照射部１０４、図示しない高圧電源、図示しないコリメータ、図示しない制御装置などには既知の技術を適用することができるので詳細な説明は省略する。
【００５２】
制御部１０５は、受信回路１０５ａ、送信回路１０５ｂ、アンテナ１０５ｃ、画像構成回路１０５ｄ、表示部１０５ｅ、および入力部１０５ｆを有する。  
受信回路１０５ａの入力側は、アンテナ１０５ｃと電気的に接続されている。受信回路１０５ａの出力側は、画像構成回路１０５ｄと電気的に接続されている。  
受信回路１０５ａは、例えば、アンテナ１０５ｃを介して入力された画像データ信号Ｓ２が乗った電波を復調して画像データ信号Ｓ２を復元する。受信回路１０５ａは、復元された画像データ信号Ｓ２を画像構成回路１０５ｄに送信する。
【００５３】
送信回路１０５ｂの入力側は、画像構成回路１０５ｄと電気的に接続されている。送信回路１０５ｂの出力側は、アンテナ１０５ｃと電気的に接続されている。  
送信回路１０５ｂは、例えば、画像構成回路１０５ｄで作成された制御信号Ｓ１を変調して制御信号Ｓ１が乗った高周波信号を作成する。なお、制御信号Ｓ１を発生させる回路は回路基板３などに設けることもできる。  
また、送信回路１０５ｂは、例えば、画像構成回路１０５ｄで作成されたＸ線画像信号を変調してＸ線画像信号が乗った高周波信号を作成する。
【００５４】
アンテナ１０５ｃは、通信部４０に設けられたアンテナ４３から放射された電波を受信する。また、アンテナ１０５ｃは、制御信号Ｓ１が乗った高周波信号、Ｘ線画像信号が乗った高周波信号を電波として放射（送信）する。アンテナ１０５ｃは、撮影室１０１の内部に設けることもできるし、操作室１０２の内部に設けることもできる。
【００５５】
画像構成回路１０５ｄは、Ｘ線画像を構成する。画像構成回路１０５ｄは、復元された画像データ信号Ｓ２に基づいて、Ｘ線画像信号を作成する。作成されたＸ線画像信号は、画像構成回路１０５ｄから表示部１０５ｅと送信回路１０５ｂに送信される。なお、作成されたＸ線画像信号は、画像構成回路１０５ｄから外部の機器に向けてさらに送信されるようにしてもよい。
【００５６】
また、画像構成回路１０５ｄにより作成されたＸ線画像信号には、各光電変換部２ｂによって異なるオフセット成分や、信号検出回路３ｂに設けられた各積分アンプ３ｂａが有するオフセット成分などに起因する画像ノイズが含まれている。そのため、画像構成回路１０５ｄには、Ｘ線画像信号に含まれるノイズ成分を除去する図示しないオフセット補正処理回路を設けることもできる。
【００５７】
また、画像構成回路１０５ｄにより作成されたＸ線画像信号には、各光電変換部２ｂによって異なる光検出効率、信号検出回路３ｂに設けられた各積分アンプ３ｂａによって異なる増幅率、シンチレータ４の変換効率のばらつきなどに起因する感度のばらつきが含まれている。そのため、画像構成回路１０５ｄには、Ｘ線画像信号に含まれる感度のばらつきを除去する図示しないゲイン補正処理回路を設けることもできる。
【００５８】
制御信号Ｓ１を発生させる回路、図示しないオフセット補正処理回路、およびゲイン補正処理回路は、例えば、画像構成回路１０５ｄに設けることができる。なお、画像構成回路１０５ｄ、制御信号Ｓ１を発生させる回路、図示しないオフセット補正処理回路、およびゲイン補正処理回路には既知の技術を適用することができるので詳細な説明は省略する。
【００５９】
表示部１０５ｅおよび入力部１０５ｆは、画像構成回路１０５ｄと電気的に接続されている。  
表示部１０５ｅは、Ｘ線画像信号を光学画像（Ｘ線画像）に変換する。表示部１０５ｅは、例えば、フラットパネルディスプレイなどとすることができる。  
入力部１０５ｆは、文字情報などを入力する。入力された文字情報などは、光学画像（Ｘ線画像）とともに表示部１０５ｅに表示される。入力部１０５ｆは、例えば、キーボードやマウスなどとすることができる。  
なお、表示部１０５ｅおよび入力部１０５ｆは必ずしも必要ではなく、必要に応じて設けるようにすればよい。
【００６０】
以上においては、Ｘ線検出器１（１ａ、１ｂ）が撮影室１０１の内部に設けられる場合を例示したが、ポータブルタイプであるＸ線検出器１（１ａ、１ｂ）は、撮影室１０１以外の屋内や屋外においても容易に使用することができる。例えば、移動が困難な被検体２００の場合には、被検体２００の近傍にＸ線検出器１（１ａ、１ｂ）を配置することも可能である。
【００６１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６２】
１  Ｘ線検出器、１ａ  Ｘ線検出器、１ｂ  Ｘ線検出器、２  アレイ基板、２ａ  基板、２ｂ  光電変換部、３  回路基板、４  シンチレータ、１０  検出部、２０  筐体、４０  通信部、５０  電源部、６０  表示部、６１  入力部、６２  格納部、６３  表示部、１００  Ｘ線画像検出システム、１０４  Ｘ線照射部、１０５  制御部、１０５ｄ  画像構成回路
【図１】
2019196931.tif 000003
【図２】
2019196931.tif 000004
【図３】
2019196931.tif 000005
【図４】
2019196931.tif 000006
【図５】
2019196931.tif 000007
【図６】
2019196931.tif 000008
【図７】
2019196931.tif 000009
【図８】
2019196931.tif 000010
【図９】
2019196931.tif 000011